(57)【特許請求の範囲】
【請求項１】
超音波撮像方法であって、
１つまたは複数のエッジ領域（２１４）に位置するトランスジューサ素子を含む複数のトランスジューサ素子によって位相情報を含む複数の信号を含む超音波データを収集するステップと、
前記超音波データを分析して電磁気ノイズ信号を検出するステップであって、前記分析が、複数のトランスジューサ素子（１０４）の内の異なる複数のトランスジューサ素子（１０４）からの信号を含む複数の信号の部分組を平均することにより前記電磁気ノイズ信号を検出することを含み、前記複数の信号の前記部分組は、トランスジューサアレイ（１０６）の１つまたは複数のエッジ領域（２１４）に配置されたトランスジューサ素子から創出されている、前記ステップと、
前記電磁気ノイズ信号に基づいて前記複数の信号を修正し、包含するノイズが前記複数の信号より少ない複数のノイズ除去済み信号を生成するステップと、
前記複数のノイズ除去済み信号を使用して画像を生成するステップと、
を含む方法。
【請求項２】
超音波撮像方法であって、
１つまたは複数のエッジ領域（２１４）に位置するトランスジューサ素子を含む複数のトランスジューサ素子によって位相情報を含む複数の信号を含む超音波データを収集するステップであって、前記複数の信号各々が対応するトランスジューサ素子から創出される、前記ステップと、
前記複数のトランスジューサ素子の異なる複数のトランスジューサ素子からの信号を含む前記複数の信号の部分組の相互相関により推定電磁気ノイズ信号を検出するステップであって、前記複数の信号の前記部分組の前記相互相関が、前記複数のトランスジューサ素子のアレイ（１０６）の１つまたは複数のエッジ領域（２１４）に配置されたトランスジューサ素子から創出された信号の相互相関を含む、前記ステップと、
前記超音波データから前記推定電磁気ノイズ信号を差し引くことにより、包含するノイズが前記複数の信号より少ない複数のノイズ除去済み信号を生成するステップと、
前記複数のノイズ除去済み信号を使用して画像を生成するステップと、
を含む方法。
【請求項３】
超音波撮像方法であって、
１つまたは複数のエッジ領域（２１４）に位置するトランスジューサ素子を含む複数のトランスジューサ素子によって位相情報を含む複数の信号を含む超音波データを収集するステップであって、前記複数の信号各々が対応するトランスジューサ素子から創出される、前記ステップと、
前記複数のトランスジューサ素子の異なる複数のトランスジューサ素子からの信号を含む前記複数の信号の部分組の相互相関により推定電磁気ノイズ信号を検出するステップであって、前記複数の信号の前記部分組が、前記複数のトランスジューサ素子のアレイ（１０６）の１つまたは複数のエッジ領域（２１４）に配置されたトランスジューサ素子から創出された信号を含む、前記ステップと、
前記超音波データから前記推定電磁気ノイズ信号を差し引くことにより、包含するノイズが前記複数の信号より少ない複数のノイズ除去済み信号を生成するステップと、
前記複数のノイズ除去済み信号を使用して画像を生成するステップと、
を含む方法。
【請求項４】
前記ノイズ除去済み信号をビーム形成するステップと、
ビーム形成された信号から画像を生成するステップと、
を含む、請求項１乃至３のいずれかに記載の方法。
【請求項５】
前記画像を表示するステップを含む、請求項１乃至４のいずれかに記載の方法。
【請求項６】
前記電磁気ノイズ信号に対するフィルタ処理、電磁気ノイズ信号推定値のスケール調整、及び電磁気ノイズ信号推定値に対する位相遅延の付与のうちの少なくとも１つを行うことによって電磁気ノイズ信号推定値を処理するステップを含む、請求項１乃至５のいずれかに記載の方法。
【請求項７】
前記超音波データを収集する超音波探触子（２００）のハウジング（２０４）に取り付けられているセンサ（１２１）が、電磁気ノイズを検出し該検出電磁気ノイズに基づいて電磁気ノイズ信号を生成するステップを含み、前記センサ（１２１）は超音波エネルギーから実質的に遮蔽されている、請求項１乃至５のいずれかに記載の方法。
【請求項８】
前記センサ（１２１）は気体層（１５６）によって超音波エネルギーから実質的に遮蔽されている、請求項７に記載の方法。
【請求項９】
前記超音波データを収集する超音波探触子（２００）のハウジング（２０４）の近位端に配置させたプロセッサが前記ノイズ除去済み信号をその信号及び電磁気ノイズ信号に基づいて生成するステップを含む、請求項１乃至８のいずれかに記載の方法。
【請求項１０】
前記トランスジューサ素子（１５２）が反射超音波エネルギーを受信するのと同時に前記超音波データを収集する超音波探触子（２００）のハウジング（２０４）に取り付けられているセンサ（１２１）が、電磁気ノイズを検出するステップを含む、請求項１乃至９のいずれかに記載の方法。
【発明の詳細な説明】
【技術分野】
【０００１】
本開示は全般的には超音波撮像に関し、また具体的には超音波データから電磁気ノイズを除去するための方法及び超音波探触子に関する。
【背景技術】
【０００２】
従来の超音波撮像システムは、超音波ビームを送信しかつ検査中の対象から反射超音波ビームを受信するためのトランスジューサ素子のアレイを備える。印加する電圧の位相遅延及び振幅を選択することによって、好ましいベクトル方向に沿って伝播すると共にそのビームに沿った選択した点に集束するように組み合わせて正味の超音波が形成される超音波を発生させるような個々のトランスジューサ素子の制御が可能である。同じ解剖情報を表したデータを収集するような複数の発射を用いることがある。例えば同じラインに沿った連続するビームの送信を各ビームの焦点が直前のビームの焦点に対してシフトさせることによって、発射の各々に関するビーム形成パラメータは、焦点の変化を提供するかさもなければ各発射に関する受信データの内容を変化させるように様々とさせることがある。トランスジューサ素子に提供される入力電圧の位相回転及び振幅を変化させることによって、対象を走査するように超音波ビームを動かすことができる。
【０００３】
この同じ原理は、アレイが反射させた超音波エネルギーを受信する際にも利用される。受信ビーム形成器は典型的には、超音波エネルギーの受信の間にアレイ内のトランスジューサ素子をある焦点上に集束させる。送信モードの場合と同様に、超音波エネルギーに対するこの集束性の受信は、受信するトランスジューサ素子の各々からの信号に対して別々の位相遅延及びゲインを付与することによって実現される。
【０００４】
Ｂモード撮像の場合などにおける超音波データの収集の際に、従来の超音波撮像システムは典型的には、ラインに沿って位置決めされた単一の焦点に集束するような超音波ビームを送信している。次いでトランスジューサ素子は反射される超音波信号を検出する。超音波ビームを送信した後にトランスジューサ素子は、反射超音波ビームのサンプルを異なる時点で検出するために用いられる。サンプルの各々の収集ではトランスジューサ素子のうちの一部を用いることも、全部を用いることもある。さらに、サンプルの各々は、異なる時点またはラインに沿った深度に対応する。従来の超音波システムのトランスジューサ素子は、超音波エネルギーを電気信号に変換するのが典型的である。この電気信号は一方、受信超音波信号に関する正しい深度にトランスジューサアレイを「集束（ｆｏｃｕｓ）」させるために電気信号の各々に適当な位相遅延及びゲインを印加している受信ビーム形成器に送られる。ビーム形成器は典型的には、トランスジューサ素子が収集中のサンプルに適した深度上に集束するようにアレイの焦点を調整する。ビーム形成の後で、ある具体的な点またはサンプルで収集した電気信号は、ラインに沿った指定の点における対象の音響反射率を示す信号になるように合成される。画像を作成するためにプロセッサは、モニターその他の表示デバイス上に表示させるようにビーム形成器からの信号の振幅をグレイスケールにマッピングするのが典型的である。
【０００５】
従来の超音波撮像システムに関する問題点の１つは、これが電磁気ノイズに対して特に敏感であることにある。外部と内部のいずれの電磁気ノイズも、トランスジューサ素子及び／またはビーム形成器からの電気信号を変化させることがある。電磁気ノイズは、補正しないままであると、超音波画像内にアーチファクトを生じさせることがある。例えばチャンネル間でコヒーレントであるような外部電磁気ノイズでは、中央領域で画素強度の上昇を示すような画像となることが多い。画素強度が上昇したこの領域のことを、その輝度領域が懐中電灯のビームに類似するため「懐中電灯（ｆｌａｓｈｌｉｇｈｔ）アーチファクト」と呼ぶことがある。ランダムノイズ（すなわち、短時間で大きく変化するノイズ）の影響は特徴付けがより困難であり、さらには画素値が受信超音波信号を示さないような画像となる可能性もあり得る。
【０００６】
従来の超音波撮像システムは、超音波撮像システムを電磁気ノイズから隔絶させるためのステップを取ってきた。例えば、超音波撮像システム内の電磁気ノイズを最小限にしようとする試みにおいてファラデーケージを含む様々なタイプの遮蔽が利用されてきた。しかし、こうした隔絶技法は完全には至らないのが一般的であり、また雑音の多い環境では依然としてシステム内まで大きな電磁気ノイズが侵入することがある。電磁気ノイズは、ＲＦ（または、Ｂｏｗｉｅ）ナイフなどの強力な電磁気源を超音波撮像システムのごく近傍で動作させるときは特に問題となる可能性がある。
【先行技術文献】
【特許文献】
【０００７】
【特許文献１】米国特許出願第２００５０１３１２９９号
【発明の概要】
【発明が解決しようとする課題】
【０００８】
これらの理由や別の理由から超音波撮像に関する改良型の方法及び超音波探触子が必要とされている。
【課題を解決するための手段】
【０００９】
上述の短所、欠点及び問題点に対して、ここでは本明細書の以下を読みかつ理解することによって了解されるようにして対処している。
【００１０】
一実施形態による超音波撮像の方法は、複数のトランスジューサ素子によって超音波データを収集するステップを含む。この超音波データは複数の信号を含む。本方法は、電磁気ノイズ信号の推定値を決定するように超音波データを解析するステップを含む。本方法はさらに、複数のノイズ除去済み信号を生成するためにこの電磁気ノイズ信号推定値に基づいて複数の信号を修正するステップを含んでおり、ここで複数のノイズ除去済み信号が包含する電磁気ノイズは該複数の信号より少ない。
【００１１】
別の実施形態による超音波撮像の方法は、複数のトランスジューサ素子によって超音波データを収集するステップを含む。この超音波データは複数の信号を含む。本方法は、超音波データを収集する過程においてセンサによって電磁気ノイズ信号を検出するステップを含む。本方法は、複数のノイズ除去済み信号を生成するためにこの電磁気ノイズ信号に基づいて複数の信号を修正するステップを含んでおり、ここで複数のノイズ除去済み信号が包含するノイズは該複数の信号より少ない。
【００１２】
別の実施形態による超音波探触子は、ハウジングと、該ハウジングに対して取り付けられたトランスジューサ素子と、を含む。トランスジューサ素子は、超音波エネルギーを受信しかつ該超音波エネルギーに基づいて信号を生成するように適応させている。さらに探触子は、ハウジングに取り付けられたセンサを含む。センサは、電磁気ノイズを検出し該検出した電磁気ノイズに基づいて電磁気ノイズ信号を送信するように適応させている。
【００１３】
本発明に関する様々な別の特徴、目的及び利点については添付の図面及びその詳細な説明から当業者には明らかとなろう。
【図面の簡単な説明】
【００１４】
【図１】一実施形態による超音波撮像システムの概要図である。
【図２】一実施形態による超音波探触子を表した概要図である。
【図３】一実施形態による超音波探触子の断面を表した概要図である。
【図４】一実施形態による方法を表した流れ図である。
【図５】一実施形態による方法を表した流れ図である。
【図６】一実施形態によるセンサを表した概要図である。
【図７】一実施形態によるセンサを表した概要図である。
【発明を実施するための形態】
【００１５】
以下の詳細な説明では、実施し得る特定の実施形態を一例として示している説明の一部を形成する添付の図面を参照している。これらの実施形態は当業者による該実施形態の実施を可能とさせるように十分詳細に記述していると共に、別の実施形態も利用し得ること並びに該実施形態の趣旨を逸脱することなく論理的、機械的、電気的及び別の変更を実施し得ることを理解されたい。以下の詳細な説明はしたがって、本発明の範囲の限定と見なすべきではない。
【００１６】
図１は、超音波撮像システム１００の概要図である。超音波撮像システム１００は、超音波探触子１０９と、ユーザインタフェース１１５と、プロセッサ１１６と、メモリ１２０と、ディスプレイ１１８と、を含む。超音波探触子１０９は、トランスジューサアレイ１０６の形に配列させた複数のトランスジューサ素子１０４と、探触子／サブアパーチャプロセッサ（ＳＡＰ）電子回路１０７（以下では、探触子／ＳＡＰ電子回路１０７と呼ぶ）と、を含む。図１の概要図ではトランスジューサアレイ１０６の形にした１０個のトランスジューサ素子１０４だけを図示しているが、別の実施形態はこれよりかなり多くのトランスジューサ素子を備えたトランスジューサアレイを有し得ることを理解されたい。さらに、多種多様な幾何学形状のトランスジューサアレイを用いることができる。探触子／ＳＡＰ電子回路１０７は、素子１０４の切替えを制御するために用いられることがある。探触子／ＳＡＰ電子回路１０７はさらに、素子１０４を１つまたは複数のサブアパーチャにグループ分けするために用いられることがある。一実施形態ではそのプロセッサ１１６は、トランスジューサアレイ１０６に送られる信号に対する送信ビーム形成を実行することがある。この送信ビーム形成は、超音波ビームを意図した箇所に集束させるためにトランスジューサアレイ内のトランスジューサ素子１０４に対して適当な時間遅延を付与する。プロセッサ１１６はさらに、トランスジューサアレイ１０６からの信号に対する受信ビーム形成を実行することがある。別の実施形態では、送信ビーム形成と受信ビーム形成のうちの一方または両方を実行するような単独で専用の構成要素を用いることがある。トランスジューサアレイ１０６内のトランスジューサ素子１０４は、検査中の患者の組織内に超音波信号を送出する。この超音波信号は、血球や筋肉組織など身体内の構造で後方散乱を受け、素子１０４に戻されるエコーが生成される。このエコーは素子１０４によって電気信号（すなわち、超音波データ）に変換され、またこの電気信号はプロセッサ１１６により受け取られる。本開示の目的において超音波データという用語は、超音波撮像システムにより収集された処理済みまたは未処理のデータを含むことがある。この電気信号はプロセッサ１１６によって電磁気ノイズを除去するように処理されて、ノイズ除去済み信号を形成することがある。次いでプロセッサ１１６はこのノイズ除去済み信号に対してビーム形成を適用する。電磁気ノイズの除去に関する詳細については以下で詳細に検討することにする。ユーザインタフェース１１５は、患者データの入力の制御、走査用または表示パラメータの変更、その他を含む超音波撮像システム１００の動作の制御のために使用されることがある。
【００１７】
プロセッサ１１６はさらに、超音波データの処理並びにディスプレイ１１８上に表示させる超音波情報フレームの作成のために使用されることがある。プロセッサ１１６は、選択可能な複数の超音波モダリティに従って超音波情報に対して１つまたは複数の処理操作を実行するように適応させることがある。この超音波情報は、エコー信号が受信されるに連れて走査セッション中にリアルタイムで処理されることがある。本開示の目的において「リアルタイム」という語は、意図的な遅延を全く伴わずに実行される手続きを含むものと規定される。追加としてあるいは別法として、超音波情報は走査セッション中にバッファ（図示せず）内に一時的に保存されており、ライブ動作またはオフライン動作でリアルタイム性がより低い処理を受けることがある。本発明の幾つかの実施形態は、タスクの処理を扱うために複数のプロセッサ（図示せず）を含むことがある。例えば第１のプロセッサが超音波信号の復調及びデシメーション（ｄｅｃｉｍａｔｅ）のために利用されることがある一方、第２のプロセッサはそのデータを画像の表示前にさらに処理するために使用されることがある。別の実施形態では異なる配列のプロセッサを用い得ることを理解されたい。
【００１８】
一実施形態では、超音波撮像システム１００の超音波探触子１０９は任意選択でセンサ１２１を含む。別の実施形態は、複数のセンサを有する探触子を含むことがある。センサ１２１は、電気接続１２２によってプロセッサ１１６に接続されることがある。センサ１２１は、トランスジューサアレイ１０６が超音波エネルギーを検出している間に電磁気ノイズ信号を検出するように適応させている。センサ１２１はプロセッサ１１６に接続されており、これによりプロセッサ１１６はトランスジューサアレイ１０６からの信号を処理する際に電磁気ノイズ信号に関する情報を用いることができる。センサ１２１はトランスジューサアレイ１０４の近傍に来るように図示している。しかし別の実施形態ではそのセンサ１２１は超音波探触子上のどこに配置させることもあり得る。センサ１２１については以下でさらに詳細に記載することにする。
【００１９】
さらに図１を参照すると、超音波撮像システム１００はあるフレームレート（例えば、２０Ｈｚ〜６０Ｈｚ）で超音波情報を連続して収集することがある。しかし別の実施形態は、超音波情報を異なるレートで収集することがある。例えば幾つかの実施形態は、超音波情報を２０Ｈｚ未満の低いレートで収集することがあり、また別の実施形態は超音波情報を６０Ｈｚを超える速いレートで収集することがある。収集した超音波情報の処理済みフレームのうち即座に表示させる予定がいないフレームを保存するためにメモリ１２０が含まれている。例示的な一実施形態ではそのメモリ１２０は、少なくとも数秒分の超音波情報フレームを保存するのに十分な容量を有する。この超音波情報フレームは、その順序または収集時刻に従ったその取り出しを容易にするような方式で保存される。メモリ１２０は周知の任意のデータ記憶媒体を備えることがある。
【００２０】
任意選択では、本発明の実施形態をコントラスト剤を利用して実現させることがある。コントラスト撮像によれば、マイクロバブルを含む超音波コントラスト剤を用いた場合に身体内の解剖学構造や血流に関する強調画像が作成される。コントラスト剤を用いながら超音波データを収集した後の画像解析は、高調波成分と線形成分を別々に含んでおり、これにより高調波成分を強調すると共にこの強調した高調波成分を利用して超音波画像を作成することができる。受信信号からの高調波成分の分離は適当なフィルタを用いて実行される。超音波撮像に関するコントラスト剤の利用については当業者によく知られており、したがってこれ以上詳細に記載しないことにする。
【００２１】
本発明の様々な実施形態では超音波情報は、フレームデータの２Ｄや３Ｄ画像組その他を形成するように、別のまたは異なるモード関連のモジュール（例えば、Ｂモード、カラードプラ、パワードプラ、Ｍモード、スペクトルドプラ解剖学的Ｍモード、歪み、歪み率、その他）によって処理されることがある。例えば１つまたは複数のモジュールは、Ｂモード、カラードプラ、パワードプラ、Ｍモード、解剖学的Ｍモード、歪み、歪み率、スペクトルドプラ画像フレーム、及びこれらを組み合わせたもの、その他を作成することがある。画像フレームは保存されており、また各画像フレームと一緒にその画像フレームがメモリ内に収集された時点を示すタイミング情報が記録されることがある。このモジュールは例えば、画像フレームを極座標からデカルト座標に変換するための走査変換演算を実行するための走査変換モジュールを含むことがある。患者に対して手技を実施しながらメモリから画像フレームを読み取りその画像フレームをリアルタイムで表示するようなビデオプロセッサモジュールを設けることがある。ビデオプロセッサモジュールはこの画像フレームを、そこから画像を読み出し表示させる画像メモリ内に保存することがある。
【００２２】
図２を参照すると、一実施形態による超音波探触子の概要図を示している。超音波探触子２００はハウジング２０４内に配置させたトランスジューサアレイ２０２を含む。ハウジング２０４に対してはコード２０６が取り付けられている。
【００２３】
図３は、一実施形態による線Ａ−Ａ’に沿った超音波探触子２００の断面の概要図を示している。図２と図３の両図では同じ構成要素には同じ参照番号のラベルを付けることにする。
【００２４】
図２と図３の両図を参照すると、トランスジューサアレイ２０２は１９２個のトランスジューサ素子２０８からなる線形アレイとすることがある。一実施形態ではそのトランスジューサ素子２０８は、トランスジューサ素子の幅が６素子分でありかつトランスジューサ素子の高さが３２素子分であるような格子形に配列させることがある。当業者であれば追加の実施形態が異なる配列のトランスジューサアレイを含むことがあり得ることを理解されよう。例えば追加的な実施形態は、探触子の使用目的に応じて湾曲トランスジューサアレイ、マトリックストランスジューサアレイ及び機械的３Ｄトランスジューサアレイを含むトランスジューサアレイを用いることがある。
【００２５】
トランスジューサアレイ２０２は、トランスジューサアレイ２０２から放出される超音波の成形を支援するために使用される音響レンズ２１０の後ろ側に位置決めされる。トランスジューサ素子２０８は中央領域２１２と１対のエッジ領域２１４とに分割される。図示した実施形態では、中央領域２１２はその中心に１２の素子横列を含んでおり、またエッジ領域２１４は中央領域２１２の両側に１０の素子横列を含んでいる。フェーズドアレイ探触子に関する大部分の撮像モードでは、中央領域２１２にあるトランスジューサ素子に対して付与される位相遅延はすべて概ね同様である。これに対してエッジ領域２１４にあるトランスジューサ素子は、その中央領域２１２からの距離のために素子のそれぞれからの信号に付与される位相遅延が大幅に異なることがある。エッジ領域２１４の正確なサイズはトランスジューサのタイプ並びに選択した撮像モードに応じて様々となり得ることは当業者であれば理解されよう。本開示の目的におけるエッジ領域は、トランスジューサアレイの中心から離して位置決めされた１つまたは複数の領域を含むことがある。エッジ領域はさらに中央領域により互いに分離された２つ以上の領域を含むこともあり、あるいはエッジ領域はマトリックス探触子の中央領域の周りに連続したリングまたは矩形フレームを形成することもある。
【００２６】
図４は、一実施形態による方法２５０を表した流れ図である。方法２５０を実行するためには、超音波撮像システム１００（図１参照）などの超音波撮像システムを利用することができる。個々のブロック２５２、２５４、２５６、２５８、２６０及び２６２は、方法２５０に従って実行し得る各ステップを表している。方法２５０の技術的効果は、電磁気ノイズを低減させた画像の表示にある。
【００２７】
例示的な一実施形態では方法２５０は、超音波撮像システム１００（図１参照）を用い、探触子１０９が図２及び３からの探触子２００で置き換えられるように修正して実行されることがある。例示的な実施形態の超音波撮像システムは、探触子以外では超音波撮像システム１００と同じ構成要素を含む。この例示的な実施形態で使用する超音波撮像システムと図１に示した超音波撮像システム１００との間では、同じ構成要素を記載するために同じ参照番号を使用することにする。例示的な実施形態ではステップ２５２において、プロセッサ１１６（図１参照）により超音波データの収集が制御される。図３に示した実施形態では、超音波データを受信する際に各トランスジューサ素子２０８（図３参照）が単一のチャンネルにマッピングされることがある。しかし別の実施形態では、トランスジューサ素子２０８の群が各チャンネルに対してマッピングされることがある。さらに、別の実施形態は、様々なタスクを実行するために超音波撮像システム１００において示したような単なるプロセッサ１１６ではなく複数のプロセッサを用いることがあることを理解されたい。超音波データを収集する処理については本明細書の上で記載しており、したがって再び詳細に記載しないことにする。
【００２８】
図４を参照すると、ステップ２５４においてプロセッサ１１６（図１参照）は超音波データを解析する。一実施形態ではプロセッサ１１６は、電磁気ノイズなどのコヒーレントなノイズを特定するために超音波データを解析することがある。コヒーレントなノイズは箇所によって大きく変化しないため、コヒーレントなノイズはチャンネルの各々内の超音波データに対して実質的に同じ方式で影響を与えることになる。
【００２９】
ここで図１、２及び３を参照すると、上述のようにコヒーレントなノイズ源からの信号部分はチャンネルのそれぞれにおいて実質的に同じと見なすことができる。しかし本明細書の上で記載したように、中央領域２１２にあるトランスジューサ素子からの信号は、受信ビーム形成中にこれらに付与される位相遅延が比較的小さいのが一般的である。これに対して、エッジ領域２１４にあるトランスジューサ素子からの信号に付与される位相遅延は、大部分の撮像モードにおいて変動が実質的により大きい。信号の位相遅延に関わらず、電磁気ノイズ信号などのコヒーレントなノイズ信号は、チャンネルのそれぞれに実質的に同じ時点で到達する。したがって、平均化などの相互相関技法の使用によって電磁気ノイズ成分を抽出することが可能である。例示的な一実施形態では、エッジ領域２１４にあるトランスジューサ素子のすべてからの信号を一緒に平均することがある。同じ位置からの超音波信号がエッジ領域２１４により大きな位相遅延差をもって到達するため、超音波信号成分は得られる平均値の中で脱落するか強く表出されないかのいずれかとなる。しかし上述のように、電磁気成分位相はチャンネルの各々において一般に同じであるため、得られた平均値は電磁気ノイズ信号を強く表している。プロセッサ１１６は次いで、この平均値信号を電磁気ノイズ信号の推定値として用いることがある。この例示の技法はコヒーレントなノイズ源に対してのみ十分に機能できることは当業者であれば理解されよう。さらに、別の実施形態は電磁気ノイズ信号推定値の特定のために、平均化以外の相互相関技法を用いることがある。さらに、別の実施形態は推定ノイズ信号の計算のためにエッジ領域２１４からのチャンネルのうちの全部を用いないことがあることも明らかとなろう。さらに幾つかの実施形態は、中央領域２１２にある素子に接続されたチャンネルのうちの幾つかからの信号を用いることがある。しかし相互相関技法として平均化を用いる実施形態では、その平均を中央領域からの信号に強く依存させないことが重要であり、さもないと超音波データが電磁気ノイズ信号推定値の一部として含まれるというリスクが存在することになる。
【００３０】
ステップ２５６において、プロセッサ１１６は超音波データから電磁気ノイズ信号推定値を除去する。例示的な一実施形態ではその電磁気ノイズ信号推定値は、プロセッサ１１６が超音波データから電磁気ノイズ信号推定値を除去する前に処理されることがある。例えば電磁気ノイズ信号推定値は、「より平滑な」波形を生成するようにフィルタ処理を受けかつ修正中のチャンネルに比例したスケール調整を受けることがある。例えば電磁気ノイズ信号推定値は指定した素子またはチャンネルからの信号に加えられるゲインに基づいてスケール調整を受けることがある。しかし別の実施形態では、電磁気ノイズ信号に対してそのチャンネルに特異的な位相遅延を付与することを含め、電磁気ノイズ信号推定値に対して追加の処理を実行することがある。しかしさらに別の実施形態では、プロセッサは超音波データから未処理の電磁気ノイズ信号推定値を除去することがある。
【００３１】
さらに図１、２及び３を参照するとプロセッサ１１６は、トランスジューサアレイ２０２からの信号の各々から電磁気ノイズ信号推定値（未処理値のことも処理後の値のこともあり得る）を差し引くことがある。トランスジューサアレイ２００（すなわち、中央領域２１２とエッジ領域２１４の両方）内の素子の各々からの超音波データから電磁気ノイズ信号推定値が差し引かれることもあることを理解されたい。プロセッサ１１６は、超音波データ内の複数の信号の各々から電磁気ノイズ信号推定値を除去することによってノイズ除去済み信号の群を作成することがある。
【００３２】
図１及び４を参照すると、ステップ２５８においてプロセッサ１１６はノイズ除去済み信号をビーム形成する。ステップ２６０においてプロセッサ１１６は、ビーム形成したノイズ除去済み信号から画像を作成する。プロセッサ１１６は、ノイズ除去済み信号から任意のタイプの超音波画像を作成することがある。例えばプロセッサ１１６は、Ｂモード、カラードプラ、パワードプラ、Ｍモード、スペクトルドプラ、その他などの撮像モードを含むノイズ除去済み信号から１つまたは複数の画像を作成することがある。プロセッサ１１６はさらに、別の実施形態に従った波形の生成またはある定量計測値の計算の際にノイズ除去済み信号を用いることがある。ステップ２６２においてプロセッサ１１６はディスプレイ１１８上に画像を表示する。
【００３３】
図５は、一実施形態による方法３００を表した流れ図である。方法３００は、超音波撮像システム１００（図１参照）などの超音波撮像システムによって実現させることがある。個々のブロック３０２、３０４、３０６、３０８、３１０及び３１２は、方法３００に従って実行し得る各ステップを示している。方法３００の技術的効果は、電磁気ノイズを低減した信号からの画像が表示されることである。
【００３４】
図５と図１の両方を参照すると、ステップ３０２においてプロセッサ１１６は、トランスジューサアレイ１０４を制御して超音波データを収集する。一実施形態ではその超音波データは、トランスジューサ素子１０４の各々から各１つとした複数の信号を備えることがある。ステップ３０４において、トランスジューサアレイ１０４が超音波データを収集している間に、センサ１２１を用いて電磁気ノイズ信号が検出される。ステップ３０６においてプロセッサ１１６は超音波データの複数の信号の各々から電磁気ノイズ信号を除去する。例えばプロセッサは複数の信号の各々から電磁気ノイズ信号を差し引くことがある。一実施形態ではプロセッサ１１６は、電磁気ノイズ信号に対するフィルタ処理、電磁気ノイズ信号のスケール調整、及び電磁気ノイズ信号に対する位相遅延の付与のうちの１つまたは幾つかによって電磁気ノイズ信号を処理することがある。追加の実施形態に従って、電磁気ノイズ信号に対して別の処理ステップが適用されることもある。超音波データから電磁気ノイズ信号を除去することによって、プロセッサ１１６は超音波データから複数のノイズ除去済み信号を作成する。
【００３５】
ステップ３０８においてプロセッサ１１６は、ノイズ除去済み信号をビーム形成する。このビーム形成は、入力に関してノイズ除去済み信号が使用されることを除いて標準的な受信ビーム形成と同様とすることができる。ステップ３１０においてプロセッサ１１６は、ビーム形成したノイズ除去済み信号から画像を作成する。次いでステップ３１２において、プロセッサ１１６はディスプレイ１１８上に画像を表示する。
【００３６】
図６は、図１に示したセンサ１２１に関する詳細概要図である。センサ１２１は、トランスジューサアレイ１０４（図１参照）で使用したトランスジューサ素子とそのサイズ及び材料が同じであるトランスジューサ素子１５２を含む。一実施形態ではそのトランスジューサ素子１５２は、チタン酸ジルコン酸鉛などの圧電材料を備えることがある。センサ１２１はさらに、最上層１５４及び気体層１５６を含む。最上層１５４は、電磁放射が実質的に透過可能な材料から製作される。例えば一実施形態ではセンサの最上層１５４として、ＲＴＶ６０やＫＥ７７２Ｕなどの超音波探触子のレンズで一般に用いられる材料を用いることがある。電磁気エネルギーを実質的に減衰させることがなければその他の材料を選択することもできる。気体層１５６は、気体と圧電材料の間の音響インピーダンス差のために音波が実質的に反射されるため、これがトランスジューサ素子１５２を超音波エネルギーから遮蔽する役割をする。別の実施形態ではその気体層１５６を、圧電材料と大きく異なる音響インピーダンスを有する別の任意の材料で置き換えることがある。センサ１２１は、トランスジューサ素子１５２があらゆるバックグラウンド電磁気ノイズを検出する一方気体層１５６は撮像中の患者から反射されたあらゆる超音波エネルギーを阻止するように設計される。トランスジューサ素子１５２の電磁気ノイズに対する応答は、トランスジューサアレイ１０６（図１参照）内にある他のトランスジューサ素子の任意のものと全く同様である。センサ１２１は、コヒーレントな電磁気ノイズと非コヒーレントな電磁気ノイズの両方に対して感応性とすることができる。
【００３７】
図７は、一実施形態に従ってセンサ１２１の代わりに使用することが可能なセンサ１６０を表した概要図である。センサ１６０は、抵抗器１６２及びコンデンサ１６４を含む。抵抗器１６２とコンデンサ１６４は、トランスジューサアレイ１４８（図６参照）内のトランスジューサ素子と同様の電気インピーダンスを有するように設計されたＲＣ回路内で接続されている。一実施形態では、抵抗器１６２は概ね２００オームの抵抗を有することがありかつコンデンサ１６４は概ね２３０ｐＦのキャパシタンスを有することがある。極めて類似した電気インピーダンスを有する多くの異なる電気回路を設計することが可能であること、並びに抵抗器１６２とコンデンサ１６４の値が単に例示的な一実施形態に従った値であること、は当業者であれば理解されよう。別の実施形態では同様の電気インピーダンスを有する回路を複数の容量性素子及び／または複数の抵抗性素子を用いて作成し得ることを理解されたい。さらに、電磁気ノイズが存在するときに同様の挙動をするような別のタイプの回路を設計することが可能である。センサ１６０は、トランスジューサ素子１０４（図１参照）の電気インピーダンスを近似するように設計される。しかしセンサ１６０は、超音波エネルギーに対しては感応性でない。したがって、センサ１６０からの信号をトランスジューサアレイ１４８内のその他のトランスジューサ素子に影響を及ぼすことがない電磁気ノイズ信号推定値として使用することが可能である。
【００３８】
この記載では、本発明（最適の形態を含む）を開示するため、並びに当業者による任意のデバイスやシステムの製作と使用及び組み込んだ任意の方法の実行を含む本発明の実施を可能にするために例を使用している。本発明の特許性のある範囲は本特許請求の範囲によって規定していると共に、当業者により行われる別の例を含むことができる。こうした別の例は、本特許請求の範囲の文字表記と異ならない構造要素を有する場合や、本特許請求の範囲の文字表記と実質的に差がない等価的な構造要素を有する場合があるが、本特許請求の範囲の域内にあるように意図したものである。
【符号の説明】
【００３９】
（図１）
１００  超音波撮像システム
１０４  複数のトランスジューサ素子
１０６  トランスジューサアレイ
１０７  探触子／サブアパーチャプロセッサ電子回路
１０９  超音波探触子
１１５  ユーザインタフェース
１１６  プロセッサ
１１８  ディスプレイ
１２０  メモリ
１２１  センサ
１２２  電気接続
（図２）
２００  超音波探触子
２０２  トランスジューサアレイ
２０４  ハウジング
２０６  コード
２１０  音響レンズ
（図３）
２００  超音波探触子
２０２  トランスジューサアレイ
２０８  トランスジューサ素子
２１２  中央領域
２１４  エッジ領域
（図４）
２５０  方法
２５２  ステップ
２５４  ステップ
２５６  ステップ
２５８  ステップ
２６０  ステップ
２６２  ステップ
（図５）
３００  方法
３０２  ステップ
３０４  ステップ
３０６  ステップ
３０８  ステップ
３１０  ステップ
３１２  ステップ
（図６）
１２１  センサ
１５２  トランスジューサ素子
１５４  最上層
１５６  気体層
（図７）
１６０  センサ
１６２  抵抗器
１６４  コンデンサ
【図１】
0006030825.tif 000002
【図２】
0006030825.tif 000003
【図３】
0006030825.tif 000004
【図４】
0006030825.tif 000005
【図５】
0006030825.tif 000006
【図６】
0006030825.tif 000007
【図７】
0006030825.tif 000008